(57)【特許請求の範囲】
【請求項１】
前面に高い柱材、後面に低い柱材を夫々配し、各柱材に装着する連結部材を介してシザース状に動作する梁材で各柱材を連結し、前面柱材から後面柱材にかけて傾斜した天幕を取り付ける片流式の折畳テントにおいて、前面柱材は、中間部外管と、この頂部より出入可能に挿入する上部内管と、前記中間部外管の下方より出入可能に挿入する下部内管を備え、後面柱材は、前記中間部外管と同一高さの外管と、この外管下方より出入可能に挿入する下部内管を備え、前記梁材は、前記中間部外管の頂部付近に装着し前面柱材同士を連結して少なくとも一箇所以上のヒンジジョイントを設け、このヒンジジョイントに前面束柱を取外し可能に係止する前面梁材と、前記外管の頂部付近に装着し後面柱材同士を連結して少なくとも一箇所以上のヒンジジョイントを設け、このヒンジジョイントに後面束柱を取外し可能に係止する後面梁材と、これら前面梁材及び後面梁材と連動し得る側面梁材を有し、前記上部内管及び前記外管は、夫々の頂部に三叉連結具を取外し可能に装着し、この三叉連結具を介して前面柱材頂部同士を水平に結ぶ棟木と、後面柱材頂部同士を水平に結ぶ軒桁と、前面柱材頂部と後面柱材頂部を結ぶ垂木とを取り付け、棟木には前面束柱を、軒桁には後面束柱を夫々回動可能に係止することを特徴とする片流式の折畳テント。
【請求項２】
前記垂木は、側面束柱を回動可能に係止し、前記側面梁材は、少なくとも一箇所以上のヒンジジョイントを設け、このヒンジジョイントに前記側面束柱を取外し可能に係止することを特徴とする請求項１記載の片流式の折畳テント。
【請求項３】
前記棟木、軒桁及び垂木は、夫々中間に設ける接続具で一直線となる組立材であることを特徴とする請求項１記載の片流式の折畳テント。
【発明の詳細な説明】
【技術分野】
【０００１】
この発明は、柱材に対し連結部材を介してシザース状に動作する梁材を備え、前面柱材から後面柱材にかけて傾斜した天幕を取り付ける片流式の折畳テントに関する。
【背景技術】
【０００２】
柱材に連結する梁材をシザース状に折り畳むテントにあっては、例えば特許文献１に記載されるような構造が提案されていた。
【特許文献１】実用新案登録  第３１０２４０８号公報
【０００３】
特許文献１に記載される従来の片流式折畳テントは、図７に示すように前面柱材１０２，１０２と後面柱材１０３，１０３、前面柱材１０２同士を連結する前面梁材１０４、後面柱材１０３同士を連結する後面梁材１０５、これら前面梁材１０４及び後面梁材１０５と連動し得る２面の側面梁材１０６，１０６を有していた。
【０００４】
各梁材１０４，１０５，１０６は斜材１０７，１０７をピン１０８でシザース状に連結し、後面柱材１０３の頂部に装着する端部ジョイント１０９、その下方に遊挿するスライドジョイント１１０、これらに対応して同一レベルで前面柱材１０２に装着する上部ジョイント１１１及びその下方のスライドジョイント１１０と夫々ヒンジ結合していた。
【０００５】
前面梁材１０４は連続する斜材の連結部にヒンジジョイント１１２，１１３を設け、この部分に中間支柱１１４を立設していた。又後面梁材１０５及び側面梁材１０６も夫々斜材の連結部にヒンジジョイント１１５，１１６を設けていた。これらヒンジジョイント１１２，１１３，１１５，１１６からテント中心部に向かってリンク部材１１７が取り付けられ、それらが集合する中心部には中央ヒンジジョイント１１８，１１９が連結されていた。
【０００６】
このような骨組みには図８に示すような後面に向ってＶ字型の溝ができ、上面に弛みが発生しない天幕１２０が取り付けられる構成であった。
【０００７】
このように梁材１０４，１０５，１０６を水平に配設し、稜線と谷線を形成する天幕１２０を有する従来の片流式の折畳テント１０１は、上面に弛みが発生しないため雨水を滞留することなく外側に流れ落とす効果があり、又天幕１２０が後面梁材１０５に密着すると共に、全ての梁材１０４，１０５，１０６が地面と平行な高さで柱材１０２，１０３を連結するので、骨組構造が安定するという効果があった。
【発明の開示】
【発明が解決しようとする課題】
【０００８】
従来の片流式の折畳テントは、梁材がシザース状に折畳める構造で、設営時にはこの梁材を伸長してジョイント部を固定状態とし、撤去時にはジョイント部の固定状態を解除して梁材を縮小するものであり、その設営撤去がワンタッチでできる利便性があったが、その反面、伸長した梁材の固定をジョイント部のみで行なっていたため、設営時に梁材が伸縮してグラグラと揺動することを完全には防止できない欠点があった。
【０００９】
又、骨組の安定を図るためテント中心部に向かってのリンク部材を設けていたため、内空間の減少という欠点の他、骨組部材点数の増加に伴う重量の増大、構成の複雑化という問題点もあった。又、前面柱材と後面柱材の高さが異なっていたため、折畳んだ状態での梱包時に突出する前面柱材の頂部を損傷する恐れがあった。
【００１０】
この発明は、従来の片流式の折畳テントが有する上記の問題点を解消すべくなされたものであり、設営時の揺動を完全に防止でき、内空間を確保して、全体重量の軽減及び構成の簡易化が図れ、梱包時に柱材を損傷する恐れがない片流式の折畳テントを提供することを目的としている。
【課題を解決するための手段】
【００１１】
上記課題を解決するため、この発明の片流式の折畳テントは、前面に高い柱材、後面に低い柱材を夫々配し、各柱材に装着する連結部材を介してシザース状に動作する梁材で各柱材を連結し、前面柱材から後面柱材にかけて傾斜した天幕を取り付ける片流式の折畳テントにおいて、前面柱材は、中間部外管と、この頂部より出入可能に挿入する上部内管と、前記中間部外管の下方より出入可能に挿入する下部内管を備え、後面柱材は、前記中間部外管と同一高さの外管と、この外管下方より出入可能に挿入する下部内管を備え、前記梁材は、前記中間部外管の頂部付近に装着し前面柱材同士を連結して少なくとも一箇所以上のヒンジジョイントを設け、このヒンジジョイントに前面束柱を取外し可能に係止する前面梁材と、前記外管の頂部付近に装着し後面柱材同士を連結して少なくとも一箇所以上のヒンジジョイントを設け、このヒンジジョイントに後面束柱を取外し可能に係止する後面梁材と、これら前面梁材及び後面梁材と連動し得る側面梁材を有し、前記上部内管及び前記外管は、夫々の頂部に三叉連結具を取外し可能に装着し、この三叉連結具を介して前面柱材頂部同士を水平に結ぶ棟木と、後面柱材頂部同士を水平に結ぶ軒桁と、前面柱材頂部と後面柱材頂部を結ぶ垂木とを取り付け、棟木には前面束材を、軒桁には後面束材を夫々回動可能に係止することを特徴とするものである。
【００１２】
前面柱材は、中間部外管内に上部内管と下部内管とを収納し得る長さを有し、設営時には上部内管を持ち上げ、中間部外管の頂部に装着するストッパでこれを停止固定する。下部内管は高さ調整用に用い、適宜高さまで伸長して固定する。
【００１３】
縮小時の前面柱材及び後面柱材は夫々中間部外管と外管の長さに略等しくなるため、折畳時には突出する部材がない。
【００１４】
設営時には梁材を伸長し、前面柱材及び後面柱材の高さを適宜調整して固定した後、前面柱材の上部内管及び後面柱材の外管の夫々の頂部に三叉連結具の一突出端を挿入すると共に、これを介して棟木、軒桁及び垂木を連結する。棟木に付設する前面束柱、軒桁に付設する後面束柱の下端を夫々前面梁材又は後面梁材のヒンジジョイントに係止する。
【００１５】
請求項２記載の片流式の折畳テントの垂木は、側面束柱を回動可能に係止し、側面梁材は、少なくとも一箇所以上のヒンジジョイントを設け、このヒンジジョイントに前記側面束柱を取外し可能に係止することを特徴とするものである。
【００１６】
請求項３記載の片流式の折畳テントの棟木、軒桁及び垂木は、中間に設ける接続具で一直線となる組立材であることを特徴とするものである。
【００１７】
棟木、軒桁及び垂木は、夫々分解・接続可能とし、分解時の長さは中間部外管より短くする。
【発明の効果】
【００１８】
この発明の片流式の折畳テントは、前面柱材に上部内管と下部内管を収納し得る中間部外管を設け、下部内管を収納する外管よりなる後面柱材を中間部外管と同一高さとするので、折畳時には突出する部材がなく梱包時に柱材を損傷する恐れがない。
【００１９】
又各柱材の頂部同士を結ぶ棟木、軒桁及び垂木を設けるので、柱材間隔を固定でき、設営時の揺動を防止できる。又、内部にリンク部材を架設しないので内空間を広く確保でき、全体重量の軽減及び構成の簡易化が図れる。
【００２０】
又前面梁材及び後面梁材に束柱を設け棟木、軒桁に固定するので上部の骨組み構造が強固になる。
【００２１】
請求項２記載の片流式の折畳テントは、垂木に回動可能に係止する側面束柱を側面梁材のヒンジジョイントに係止するので、より上部骨組を強固なものとし揺動を防止できる。
【００２２】
請求項３記載の片流式の折畳テントは、棟木、軒桁及び垂木を中間に設ける接続具で一直線となる組立材とするので、コンパクトな梱包が可能となる。
【発明を実施するための最良の形態】
【００２３】
次にこの発明の実施の形態を添付図面に基づき詳細に説明する。図１は片流式折畳テントの斜視図である。片流式折畳テント１は、前面柱材２，２と後面柱材３，３、前面柱材２同士を連結する前面梁材４、後面柱材３同士を連結する後面梁材５、これら前面梁材４及び後面梁材５と連動し得る２面の側面梁材６，６を有する。
【００２４】
又前面柱材２，２の頂部間には棟木７、後面柱材３，３の頂部間には軒桁８、前面柱材２と後面柱材３の頂部間には垂木９，９を取り付け、棟木７には前面束柱１０を、軒桁８には後面束柱１１を夫々回動可能に係止する。又棟木７及び軒桁８の中央部にも垂木９を取外し可能に取り付ける。
【００２５】
各梁材４，５，６は斜材１２，１２をピン１３でシザース状に連結し、前面柱材２の頂部に装着する上部ジョイント１４、その下方に遊挿するスライドジョイント１５、これらに対応して同一レベルで後面柱材３に装着する上部ジョイント１４及びその下方のスライドジョイント１５と夫々ヒンジ結合している。
【００２６】
前面梁材４は連続する斜材１２の連結部にヒンジジョイント１６を設け、この部分に前面束柱１０を係止し、後面梁材５もヒンジジョイント１６に後面束柱１１を係止する。
【００２７】
前面柱材２は上部ジョイント１４及びスライドジョイント１５を装着する中間部外管１７と、この頂部より出入可能に挿入する上部内管１８と、中間部外管１７の下方より出入可能に挿入する下部内管１９を備える。又、後面柱材３は、外管２０と、この下方より出入可能に挿入する下部内管１９を備える。この外管２０の高さは中間部外管１７と同一である。
【００２８】
設営時には各梁材４，５，６を伸長し、前面柱材２の上部内管１８を引き出して固定した後、この上部内管１８及び後面柱材３の外管２０に棟木７、軒桁８及び垂木９を連結し、前面束柱１０、後面束柱１１を係止した後、図示しない天幕を取り付ける。夫々の下部内管１９は高さ調整用に用い、適宜高さまで伸長して固定する。
【００２９】
次に柱材の詳細を図２に基き説明する。図２は前面柱材の上部構成を示す斜視図である。前面柱材２の中間部外管１７は、上部ジョイント１４とスライドジョイント１５を貫通し、端部にストッパ２１を装着する。このストッパ２１で固定される上部内管１８の頂部には三叉連結具２２が挿入され、これに棟木７及び垂木９が連結する。
【００３０】
上部ジョイント１４は２方向の斜材取付部１４ａ，１４ｂを突設して夫々斜材１２をヒンジ結合する。スライドジョイント１５は、中間部外管１７を挿通する鞘管１５ａより２方向に斜材取付部１５ｂ，１５ｃを突設して斜材１２をヒンジ結合し、下方に係止ピン１５ｄを付設する。係止ピン１５ｄは内設する弾性部材により内方に付勢されており、中間部外管１７の図示しないピン孔に挿入されるとスライドジョイント１５の移動が停止する。
【００３１】
上部内管１８はストッパ２１の係止ピン２１ａを解除すると中間部外管１７の内部へ挿入されるが、梁材を伸長した状態ではスライドジョイント１５の係止ピン１５ｄに当たるため落ち込むことはない。前面柱材２を縮小する際には、先ず梁材を折畳み、スライドジョイント１５を下降させた後、ストッパ２１を解除し上部内管１８を挿入する。
【００３２】
図３に骨組を折畳んだ状態を示す。下部内管１９も中間部外管１７及び外管２０の夫々下端部に設けるストッパ２３を解除して内部に押し上げる。中間部外管１７は、内部に上部内管１８と下部内管１９とを同時に収納し得る長さを有し、縮小時の前面柱材２及び後面柱材３は夫々中間部外管１７と外管２０の長さに略等しくなるため、折畳時には突出する部材がない。
【００３３】
次に前面梁材と後面梁材のヒンジジョイント部の構成を図４及び図５に基づき説明する。図４は前面梁材のヒンジジョイント部より立設する前面束柱の斜視図、図５は後面梁材のヒンジジョイント部とこれに係止する後面束柱の正面図である。棟木７及び軒桁８に回動可能に係止する前面束柱１０、後面束柱１１は下端にフック１０ａ，１１ａを形成し、前面梁材４又は後面梁材４の夫々のヒンジジョイント１６に引っ掛けねじ止めする。
【００３４】
この棟木、軒桁及び垂木は、夫々分解・接続可能な構成である。図６に垂木の分解時の斜視図を示す。垂木９は二分割した管体で接続部は雄雌の差込可能な形状で、内部にスプリング９ａを設け接続を容易にしている。これら棟木７、軒桁８及び垂木９は折畳む前に取外す。
【図面の簡単な説明】
【００３５】
【図１】片流式折畳テントの骨組構成を示す斜視図である。
【図２】前面柱材の上部構成を示す斜視図である。
【図３】骨組を折畳んだ状態の片流式折畳テントの斜視図である。
【図４】前面梁材のヒンジジョイント部と前面束柱の斜視図である。
【図５】後面梁材のヒンジジョイント部と後面束柱の正面図である。
【図６】分解時の垂木の斜視図である。
【図７】従来の片流式折畳テントの骨組構成を示す斜視図である。
【図８】従来の片流式折畳テントの骨組に天幕を装着した斜視図である。
【符号の説明】
【００３６】
１  片流式折畳テント
２  前面柱材
３  後面柱材
４  前面梁材
５  後面梁材
６  側面梁材
７  棟木
８  軒桁
９  垂木
１０  前面束柱
１１  後面束柱
１６  ヒンジジョイント
１７  中間部外管
１８  上部内管
１９  下部内管
２０  外管
【図１】
0005492594.tif 000002
【図２】
0005492594.tif 000003
【図３】
0005492594.tif 000004
【図４】
0005492594.tif 000005
【図５】
0005492594.tif 000006
【図６】
0005492594.tif 000007
【図７】
0005492594.tif 000008
【図８】
0005492594.tif 000009